(57)【要約】【課題】軽量で作業の邪魔にならず、効果的に頭部を冷却可能な頭部冷却装置を提供する。 【解決手段】頭部を覆って保護する外帽(1)と、その内側に備えられ頭部と接する内帽(2)と、液化ガスを収納した小型のボンベ(3)を備え、内帽(2)は内部に空間(23)を有し、内帽(2)の頭部と接する側(21)には空間(23)と連通する複数の通孔(22)が設けられている。ボンベ(3)は外帽(1)に装着され、エアチューブ(6)を介して内帽(2)内の空間(23)にガスを供給することが可能である。 【選択図】図１
2005120495.tif 000002
【特許請求の範囲】
【請求項１】
頭部を覆って保護する外帽と、該外帽の内側に備えられ頭部と接する内帽と、液化ガスを収納した小型のボンベを備え、
内帽は内部に空間を有し、内帽の頭部と接する側には該空間と連通する複数の通孔が設けられており、
該ボンベは外帽に装着され、該ボンベのガス吐出量は調整可能であり、
該ボンベはエアチューブを介して該内帽内の空間と接続され、ガスを該空間に供給することが可能である
ことを特徴とする頭部冷却装置。
【請求項２】
内帽は柔軟性を有する２枚の合成樹脂シートからなり、上方に位置する上側シートと下側に位置する下側シートとが周縁部を貼り合わされた状態で積層されており、少なくとも該上側シートの下面、又は該下側シートの上面のいずれかには該上側シートと該下側シートとの間の空間を維持するための突起が設けられている
ことを特徴とする請求項１記載の頭部冷却装置。
【請求項３】
内帽は外帽の後頭部側に突出しており、後頭部に面する側にも前記通孔が設けられていることを特徴とする請求項１又は請求項２記載の頭部冷却装置。
【請求項４】
内帽の頭部と接する側には布又は不織布が配されていることを特徴とする請求項１，請求項２又は請求項３記載の頭部冷却装置。
【請求項５】
外帽はヘルメットであることを特徴とする請求項１から請求項４のいずれかの請求項に記載の頭部冷却装置。
【発明の詳細な説明】
【技術分野】
【０００１】
本発明は、熱中症を予防するための頭部冷却装置に関するものである。
【背景技術】
【０００２】
夏期の炎天下での屋外作業は体温の上昇を招き、特に頭部の温度上昇は熱中症の原因となる。熱中症は死に至ることもあり、工事現場や建築現場では作業者のみならず管理者も絶えず注意している。
【０００３】
そこで、熱中症を防止するために頭部を冷却するためのアイデアが種々提案されている。例えば特開２００１−１７２８１６号公報に記載のアイデアは、ヘルメットに取り付けられた太陽電池により発電し、その電力によりヘルメット頭頂部のファンを回して換気することが提案されている。
【０００４】
これによりヘルメット内を換気してヘルメット内の熱こもりを解消することを目指しているが、太陽電池の発電効率は良くないため、ヘルメットの一部に装着した程度ではファンが十分に回転できるだけの電力を供給する事が難しい。しかもヘルメットは半球形であるため、全ての太陽電池セルに直射日光が当たるようにするのは困難である。
【０００５】
更に太陽電池セルの重量は大きいためヘルメット自体の重量が大きくなり、ヘルメット着用者の首への負担が大きくなる。したがって、そのような重いヘルメットは作業に用いるには適さない。
【０００６】
又、太陽電池セルは高価であるためヘルメットのコストが大変高額となり、しかも太陽電池セルはガラスでできているので破損しやすく、工事現場等で使用することは事実上困難であり、却って危険でもある。
【０００７】
特開２００３−０４９３１７号公報にはヘルメット内にファンを設け、腰に装着したタンクから冷却剤をファン近傍に導き、ファンの力により冷却剤をヘルメット内に噴霧するアイデアが示されている。
【０００８】
しかし、冷却剤が嵩張ると共に、冷却剤を頭部に導くホースが邪魔になって作業がし難く、ホースが周囲の機器や設備に引っかかる可能性があるので工事現場では危険でもある。
【０００９】
又、いずれのアイデアもファンを使用しているが、ファンやそれを回転させるためのモータの重量が頭部にかかり首が疲れる原因となる。更にモータ自体が発熱するため効果的な冷却が難しく、却ってモータから発せられる熱により頭部が熱くなってしまうことも考えられる。
【特許文献１】特開２００１−１７２８１６号公報
【特許文献２】特開２００３−０４９３１７号公報
【発明の開示】
【発明が解決しようとする課題】
【００１０】
そこで本発明は軽量で作業の邪魔にならず、効果的に頭部を冷却可能な頭部冷却装置を提供することを課題とする。
【課題を解決するための手段】
【００１１】
本発明の請求項１記載の頭部冷却装置は、頭部を覆って保護する外帽(1)と、該外帽(1)の内側に備えられ頭部と接する内帽(2)と、液化ガスを収納した小型のボンベ(3)を備え、内帽(2)は内部に空間(23)を有し、内帽(2)の頭部と接する側(21)には該空間(23)と連通する複数の通孔(22)が設けられており、該ボンベ(3)は外帽(1)に装着され、該ボンベ(3)のガス吐出量は調整可能であり、該ボンベ(3)はエアチューブ(6)を介して該内帽(2)内の空間(23)と接続され、ガスを該空間(23)に供給することが可能であることを特徴とする。
【００１２】
これによれば、ボンベ(3)のガスを内帽(2)内の空間(23)に導き、内帽(2)の頭部と接する側の通孔(22)からガスを噴射して着用者の頭部を冷却することができる。従来のようなモータを使わないので発熱を伴わず、逆に気化熱を利用して冷たいガスを噴射可能であるため冷却効率が大きい。又、装置自体が小さく、軽量で外部にもあまり突出しないため、長時間の着用に適し、作業の妨げともなりにくい。
【００１３】
請求項２記載の頭部冷却装置は請求項１の装置において、内帽(2)は柔軟性を有する２枚の合成樹脂シートからなり、上方に位置する上側シート(20)と下側に位置する下側シート(21)とが周縁部を貼り合わされた状態で積層されており、少なくとも該上側シート(20)の下面、又は該下側シート(21)の上面のいずれかには該上側シート(20)と該下側シート(21)との間の空間を維持するための突起が設けられていることを特徴とする。
【００１４】
これによれば、内部に空間を有する内帽を容易に制作することができる。しかも、突起により上側シート(20)と下側シート(21)とが密着することを防止し、常に内帽(2)の内部空間(23)を保持することができる。
【００１５】
請求項３記載の頭部冷却装置は請求項１又は請求項２の装置において、内帽(2)は外帽(3)の後頭部側に突出しており、後頭部に面する側にも前記通孔(22)が設けられていることを特徴とする。
【００１６】
これによれば、内帽(2)は後頭部側に突出し、後頭部に向かってガスを噴射することができる。そのため、後頭部や「うなじ」の周辺を効果的に冷却することができる。
【００１７】
請求項４記載の頭部冷却装置は請求項１，請求項２又は請求項３の装置において、内帽(2)の頭部と接する側には布又は不織布が配されていることを特徴とする。
【００１８】
内帽(2)の着用者頭部と接する箇所に布又は不織布が配されているので、着用者の頭部の汗を布又は不織布に吸収させ、汗が蒸れることを防止することができる。この場合でも、ガスは通孔(22)を通って頭部に吹き付けることができる。
【００１９】
請求項５記載の頭部冷却装置は請求項１〜請求項４の装置において、外帽(1)はヘルメットであることを特徴とする。
【００２０】
これによれば外帽(1)となるヘルメットは固いので、工事現場や建築現場などで頭部をぶつけるようなことや、鋭利な破片が当たるようなことがあっても頭部を保護することができる。
【発明の効果】
【００２１】
本発明の頭部冷却装置を用いれば効果的に頭部を冷却可能となるため、夏期の屋外作業環境を改善し、熱中症を有効に防止することができる。しかも、軽量で作業の邪魔にならないため、作業効率を悪化させることもない。
【発明を実施するための最良の形態】
【００２２】
以下、本発明を好適な実施例を用いて説明する。
【実施例１】
【００２３】
図１は本実施例の頭部冷却装置を側方から見た図であり、図２は内帽(2)の配置を説明する図である。外帽(1)の内側、つまり着用者の頭部と接する側に内帽(2)を備えている。
【００２４】
外側に位置する外帽(1)は頭部を外部からの衝撃から守るために硬質となっており、硬質な合成樹脂，ＦＲＰ又は金属等が用いられる。本実施例では外帽として合成樹脂製のヘルメットを使用した。(1a)は外帽(1)の庇部である。
【００２５】
内帽(2)は外帽(1)の内側に装着されるが、直接外帽(1)の内側に取り付けても良いし、ネットやベルト等を介して取り付けても良い。
【００２６】
内帽(2)は軟質の合成樹脂よりなり、その内部には空洞部が形成可能な構成となっている。本実施例では２枚の軟質合成樹脂シートの周囲を溶着又は接着することにより、２枚のシート間に空間が形成され、全体として空洞を有する内帽(2)を形成している。
【００２７】
図３は内帽(2)の断面形状を説明する図であり、(20)は上側のシート、(21)は着用者の頭部と接する下側のシートである。この２枚のシート間には常に空間(23)が形成されるようにしておいても良いし、２枚のシート間に後述するようにガスが吹き込まれた際にガス圧により上側シート(20)と下側シート(21)との間に空間(23)が形成されるようにしても良い。
【００２８】
シート間に常に空間(23)を形成させておきたい場合は、上側のシート(20)の下面、又は下側シート(21)の上面に突起を設けておけば上側のシート(20)と下側シート(21)とが密着することがない。この場合、突起は山状や粒状でも良いし、レール状の長い形状でも良い。
【００２９】
図４は実施例を下方から見た図である。内帽(2)は頭部冷却装置が着用された際に下側シート(21)が頭部と接することになるが、下側シート(21)には複数の小さな通孔(22)が設けられている。
【００３０】
本実施例では着用者の後頭部から「うなじ」のあたりを冷却するために、内帽(2)の後頭部側を長くし、外帽(1)から突出するようにした。(2a)は内帽(2)の後頭部側突出部であり、下側シート(21)のこの部分にも通孔(22)が設けられている。
【００３１】
通孔(22)の設け方は均一でも良いし、強い冷却効果を期待する部位には開口率（通孔の数や大きさ）を多い目に設定するようにしても良い。空間(23)内を通るガスの流れを考慮して設定しても良い。
【００３２】
ガスが充填された金属製の小型のボンベ(3)が外帽(1)に取り付けられている。図１において(4)はボンベ(3)を外帽(1)に取り付けるためのボンベ取付部である。ボンベに充填するガスは職場の種類により適宜選択すればよいが、液化した空気，液体酸素，液体窒素等が利用できる。但し、火気厳禁の現場等で引火のおそれがある場合は、酸素は用いない方が好ましい。ボンベの素材はガスの圧力に耐えることができれば特に限定されず、金属でも良いし合成樹脂製でもよい。
【００３３】
ボンベ(4)の開口部(4a)には小型のレギュレータ(5)が接続されており、ガス圧や吐出量を調整できるようにした。レギュレータの２次側（吐出側）にはエアチューブ(6)が接続されており、外帽(1)に設けられたチューブ用開口(7)を通って外帽(1)の内側に位置する内帽(2)に接続される。
【００３４】
尚、本実施例では外帽(1)にエアチューブ(6)を通すためのチューブ用開口(7)を設けたが、外帽(1)の下縁を跨がせるようにして内帽(2)に接続しても良い。又、ボンベ(4)は外帽(1)の外側に取り付けたが、外帽(1)の内側に装着できるようにしても良い。
【００３５】
レギュレータ(5)を調整してボンベ(4)の開口部(4a)からのガスの吐出が可能な状態とするとボンベ(4)内の液化ガスは気体となり、エアチューブ(6)を通って内帽(2)内の空間(23)に導かれる。
【００３６】
そして空間(23)内のガスは下側シート(21)に設けられている通孔(22)から頭部や後頭部に噴射される。このガスの頭部への噴射により頭部や後頭部，うなじ周辺が冷却される。
【００３７】
液化したガスが気化する際には気化熱を奪う。そのため、ボンベ(3)は気化熱により冷却され、ボンベ(3)から放出されるガスの温度は低くなっており、冷却効果を更に高めることができる。
【００３８】
尚、合成樹脂製の内帽(2)が直接頭部と接触して蒸れることを防止するために、内帽(2)の少なくとも下側に布，不織布などを取り付けるようにしても良いし、内帽(2)自体を袋状の布や不織布に収納して用いるようにしても良い。この場合、頭部の汗は布や不織布に吸収され、通孔から噴出されたガスは布や不織布の隙間を通って頭部に噴出することができる。
【００３９】
利用の仕方としては作業者が個人的に購入して使用するのも一つの方法であるが、作業現場での全作業員の健康を守るという点では実際に工事を行う会社や工事請負会社がまとめて導入し、複数の作業者に貸し出すようにすれば現場の労働条件を改善することができ、作業員の募集などもし易くなる。
【実施例２】
【００４０】
基本構成は実施例１と同様であるがボンベを着脱可能なカートリッジ式として交換できるようにした。ボンベは使用すると当然に消耗する。その度に頭部冷却装置自体を新品に交換していたのではコストがかかる。そこで、消耗品であるボンベのみを交換することとし、外帽(1)や内帽(2)等を繰り返し使えるようにした。これによりランニングコストが安くなる。ボンベの交換が容易と成るようにボンベ取付部(4)はクリップ式のようワンタッチで外帽(1)から着脱可能な構成としておくことが望ましい。
【００４１】
又、カートリッジのボンベ(2)も買い換えるのが容易であるが、ガス充填装置を現場や事務所に備えておけば詰め替えて繰り返し使用することができるのでランニングコストは更に易くなる。
【産業上の利用可能性】
【００４２】
工事現場や建築現場で用いるヘルメット用として説明したが、他の用途で用いられるヘルメットや帽子に利用しても良い。例えば、熱帯地方での探検やリゾートに用いるヘルメットや帽子，軍用のヘルメット，スポーツ競技のヘルメット，自転車やバイク用のヘルメット、自動車レース用のヘルメット，製鉄所等の高温工場でのヘルメット等に利用することができる。
【００４３】
更に、ヘルメット以外にも通常の帽子にも利用することが可能である。つまり、帽子を外帽として利用し、その内側に内帽を装着すればよい。この場合、外帽は硬質ではないので衝撃から保護するという効果は弱くなるが、頭部を覆って直射日光から頭部を保護するという効果は期待できる。
【図面の簡単な説明】
【００４４】
【図１】実施例を側方から見た図。
【図２】内帽の配置を説明する図。
【図３】内帽の断面形を説明する図。
【図４】実施例を下方から見た図。
【符号の説明】
【００４５】
１  外帽
１ａ  外帽の庇部
２  内帽
２ａ  内帽の後頭部側突出部
３  小型のボンベ
４  ボンベ取付部
５  レギュレータ
６  エアチューブ
７  チューブ用開口
２０  内帽の上側シート
２１  内帽の下側シート
２２  内帽下側シートの通孔
２３  内帽上下シート間に形成される空間
【図１】
2005120495.tif 000003
【図２】
2005120495.tif 000004
【図３】
2005120495.tif 000005
【図４】
2005120495.tif 000006